(57)【要約】【課題】カバー材を強固に取り付けることができる壁材の取付構造を提供する。【解決手段】壁材１０を壁下地１１に固定する固定具１２と、前記固定具１２を覆うカバー材１３と、前記カバー材１３を保持する保持具１４とを備える。前記壁材１０は溝部１５を有する。前記溝部１５はその底部１６が前記固定具１２により前記壁下地１１に固定される。前記保持具１４は前記溝部１５に設けられている。前記保持具１４は、前記カバー材１３の側壁１８の内面に接触する第一の接触片１９と、前記カバー材１３の前記側壁１８の外面に接触する第二の接触片２１とを備える。前記カバー材１３は前記固定具１２の表面側において前記溝部１５に配置されている。前記側壁１８が前記第一の接触片１９と前記第二の接触片２１とで保持されている。【選択図】図１
2015161075.tif 000002
【特許請求の範囲】
【請求項１】
壁材を壁下地に固定する固定具と、前記固定具を覆うカバー材と、前記カバー材を保持する保持具とを備え、
前記壁材は溝部を有し、
前記溝部はその底部が前記固定具により前記壁下地に固定されており、
前記保持具は前記溝部に設けられており、
前記保持具は、前記カバー材の側壁の内面に接触する第一の接触片と、前記カバー材の前記側壁の外面に接触する第二の接触片とを備え、
前記カバー材は前記固定具の表面側において前記溝部に配置されており、前記側壁が前記第一の接触片と前記第二の接触片とで保持されていることを特徴とする壁材の取付構造。
【発明の詳細な説明】
【技術分野】
【０００１】
本発明は、壁材の取付構造に関し、詳しくは、外壁材等の壁材をカバー材及び保持具並びに固定具により壁下地に取り付ける構造に関する。
【背景技術】
【０００２】
従来、壁下地の表面に壁材を取り付けて壁を形成することが行われている。例えば、特許文献１では、図６のように、壁材２に取付具３を介して壁下地４に取付けるための取付け凹所５を形成し、取付け凹所５の両側面５ａを底面５ｂから表面に向けて外方に傾斜させて外装壁材１を構成し、外装壁材１の取付け凹所５内に断面逆Ｕ字状のキャップ６と、両側にキャップ６の両方の側面部６ａを挟持するための一対の挟持片７ｂを備えた断面略Ｕ字状のキャップ保持部材７とを配置し、キャップ保持部材７を貫通して取付具３を壁下地４に打入することが記載されている。
【先行技術文献】
【特許文献】
【０００３】
【特許文献１】特開平１１−１３２５５号公報
【発明の概要】
【発明が解決しようとする課題】
【０００４】
特許文献１に記載の発明では、キャップ６が一対の挟持片７ｂで弾性的に挟持されてキャップ保持部材７に保持されているので、側面部６ａ間の寸法や一対の挟持片７ｂ間の寸法の精度が低かったり、挟持片７ｂの弾性力が経時変化等で低下したりすることがある。この場合、キャップ６はキャップ保持部材７で強固に保持されにくくなって、所定の位置からずれたり脱落したりするおそれがあった。
【０００５】
本発明は上記の点に鑑みてなされたものであり、カバー材を強固に取り付けることができる壁材の取付構造を提供することを目的とする。
【課題を解決するための手段】
【０００６】
本発明に係る壁材の取付構造は、壁材を壁下地に固定する固定具と、前記固定具を覆うカバー材と、前記カバー材を保持する保持具とを備え、
前記壁材は溝部を有し、
前記溝部はその底部が前記固定具により前記壁下地に固定されており、
前記保持具は前記溝部に設けられており、
前記保持具は、前記カバー材の側壁の内面に接触する第一の接触片と、前記カバー材の前記側壁の外面に接触する第二の接触片とを備え、
前記カバー材は前記固定具の表面側において前記溝部に配置されており、前記側壁が前記第一の接触片と前記第二の接触片とで保持されていることを特徴とする。
【発明の効果】
【０００７】
本発明は、カバー材の側壁が第一の接触片と第二の接触片とで内外から保持されているため、カバー材を外側又は内側の一方から保持する場合に比べて、強固に取り付けることができる。
【図面の簡単な説明】
【０００８】
【図１】本発明の実施の形態の一例を示す断面図である。
【図２】壁材の一例を示し、（ａ）は斜視図、（ｂ）は断面図、（ｃ）は一部の断面図である。
【図３】カバー材の一例を示す斜視図である。
【図４】保持具の一例を示し、（ａ）は正面図及び平面、（ｂ）は（ａ）におけるＡ−Ａ断面図、（ｃ）は（ａ）におけるＢ−Ｂ断面図である。
【図５】本発明の実施の形態の一例を示す概略の正面図である。
【図６】従来例を示す断面図である。
【発明を実施するための形態】
【０００９】
以下、本発明を実施するための形態を説明する。
【００１０】
図１のように、本実施の形態は、壁材１０を壁下地１１に固定する固定具１２と、固定具１２を覆うカバー材１３と、カバー材１３を壁材１０の表面側に保持する保持具１４とを備えて形成されている。
【００１１】
図２（ａ）のように、壁材１０は板状に形成されている。壁材１０は金属やプラスチックなどで形成されている。壁材１０が金属板で形成される場合は、例えば、厚みが０．３〜０．８ｍｍで、鋼板、亜鉛等のめっき鋼板、ガルバリウム鋼板（登録商標）、塗装鋼板などが例示される。壁材１０は、例えば、金属板をロール成形等の折り曲げ加工することにより所望の断面形状に形成されている。図２（ｂ）のように、壁材１０の働き幅の寸法（横方向の寸法）Ｌ１は任意に形成されるが、例えば、６００〜８００ｍｍに形成されている。壁材１０には溝部１５が設けられている。溝部１５は、壁材１０を壁下地１１に取り付けた際（施工した際）に、縦方向（鉛直方向）と平行に長く配置されるように形成されている。尚、本明細書において「平行」とは厳密な意味での平行だけでなく、本発明の実施を損なわない程度の略平行をも含む概念である。図２（ｃ）のように、壁材１０の表面における溝部１５の開口の幅寸法Ｌ２は任意に形成されるが、例えば、２０〜１１０ｍｍに形成されている。溝部１５の底部１６の幅寸法Ｌ３は任意に形成されるが、例えば、２０〜１１０ｍｍに形成されている。溝部１５の深さ寸法（壁材１０の表面から底部１６までの寸法）Ｌ４は任意に形成されるが、例えば、１０〜３０ｍｍに形成されている。溝部１５の開口の幅寸法Ｌ２は底部１６の幅寸法Ｌ３よりも大きく形成されていることが好ましい。壁材１０には一つ又は複数の溝部１５が設けられている。隣り合う溝部１５の間隔Ｌ５は任意に形成されるが、例えば、５０〜２００ｍｍに形成されている。隣り合う溝部１５は互いに平行に形成されている。複数の溝部１５が形成されている場合、それらの形状は総て同一であっても良いし、一部が異なっていてもよい。
【００１２】
壁下地１１としては胴縁が例示されるが、これに限定されず、間柱、柱、梁などの建物の構成部材が壁下地１１として利用される。また、既存の建物の壁が壁下地１１として用いられることもある。この場合、既存の建物の壁が壁材１０で覆われて改修される。
【００１３】
固定具１２はビス、釘などで形成されている。固定具１２は胴部２７の一端に頭部２４を有して形成されている。
【００１４】
図３のように、カバー材１３は壁材１０と同様の金属やプラスチックなどで形成されている。カバー材１３は縦方向に長尺に形成されている。カバー材１３は、例えば、厚み０．３〜０．８ｍｍの鋼板をロール成形等の折り曲げ加工して形成されている。カバー材１３は矩形板状の表面板１７と側壁１８とを備えて形成されている。側壁１８は表面板１７の長手端部の全長にわたって設けられている。尚、本明細書において「全長」とは厳密な意味での全長だけでなく、本発明の実施を損なわない程度の略全長をも含む概念である。側壁１８は表面板１７の長手端部から表面板１７の裏面側に向いて突出するように形成されている。側壁１８は表面板１７の両方の長手端部に設けられている。カバー材１３の長手方向の寸法は溝部１５の長手方向の寸法と同等に形成されていることが好ましく、例えば、２０００ｍｍに形成されている。カバー材１３の短手方向の寸法は溝部１５の開口の幅寸法Ｌ２よりも小さく形成されていることが好ましく、溝部１５の底部１６の幅寸法Ｌ３よりも大きく形成されていることが好ましい。カバー材１３の短手方向の寸法（表面板１７の短手方向の寸法）Ｌ６は、例えば、１８〜１０８ｍｍに形成される。表面板１７と側壁１８との間の角度は、例えば、６０°に形成することができ、この場合、カバー材１３を長尺化しても剛性が高く取り扱いしやすい。
【００１５】
保持具１４は壁材１０と同様の金属やプラスチックなどで形成されている。保持具１４は、例えば、厚み０．３〜０．８ｍｍの鋼板をロール成形やベンダー等の折り曲げ加工して形成されている。図４（ａ）のように、保持具１４の長手方向の寸法Ｌ９は溝部１５の長手方向の寸法よりも短く形成されており、例えば、５０〜７０ｍｍに形成されている。図４（ｂ）のように、保持具１４の短手方向の寸法Ｌ１０は溝部１５の開口の幅寸法Ｌ２よりも小さく形成されている。保持具１４の厚み方向の寸法Ｌ１１は溝部１５の深さ寸法Ｌ４よりも小さく形成されている。
【００１６】
保持具１４は、固定板２０と、第一の接触片１９と、第二の接触片２１とを備えて形成されている。固定板２０は縦方向に長い矩形板状に形成されている。固定板２０には短手方向（横方向）の中央部にスリット２２が設けられている。尚、本明細書において「中央部」とは厳密な意味での中央部だけでなく、本発明の実施を損なわない程度の略中央部をも含む概念である。
【００１７】
スリット２２は固定板２０の長手方向（縦方向）の下部と上部に一つずつ設けられている。下のスリット２２はその下端が固定板２０の下端面に開口して形成されている。上のスリット２２はその上端が固定部２０の上端面に開口して形成されている。スリット２２の短手寸法（横方向）は固定具１２の胴部２７の直径よりも広く、固定具１２の頭部２４の直径よりも狭く形成されている。
【００１８】
第一の接触片１９は固定板２０の両方の長手端部の中央部に一つずつ設けられている。二つの第一の接触片１９は互いに対向している。第一の接触片１９は固定板２０の長手端部から前側（固定板２０の表面側）に突出して形成されている。第一の接触片１９は固定板２０の長手端部から前方へ突出して設けられる挟持片４０と、挟持片４０の前端から前方へ突出して設けられる支持片４１とで形成されている。固定板２０と挟持片４０との間の角度は、例えば、９５〜１３５°に形成されることが好ましいが、これに限定されるものではない。挟持片４０と支持片４１の間の角度は、例えば、６０〜１３５°に形成されることが好ましいが、これに限定されるものではない。
【００１９】
第二の接触片２１は固定板２０に四つ設けられている。二つの第二の接触片２１は第一の接触片１９の上方に設けられている。この二つの第二の接触片２１は互いに対向している。また他の二つの第二の接触片２１は第一の接触片１９の下方に設けられている。この二つの第二の接触片２１は互いに対向している。第二の接触片２１は固定板２０の長手端部に沿って形成されている。第二の接触片１９は固定板２０の長手端部に前方に向かって突出するガイド片４２と、ガイド片４２の前端から外側方（固定板２０と反対方向）に向かって突出する突出片４３とで形成されている。
【００２０】
そして、上記の壁材１０の取付構造は、以下のようにして行うことができる。まず、壁材１０を壁下地１１に固定具１２により固定する。この場合、壁下地１１の表面に壁材１０の裏面を近接又は接触させ、固定具１２を壁材１０の表面側から壁下地１１に達するまで打ち込むようにすることができる。壁材１０が外壁材の場合は、壁下地１１の屋外側に壁材１０が配置され、壁材１０の屋外側面から固定具１２を打ち込むようにすることができる。また上記の固定具１２はその胴部２７が壁材１０の溝部１５の底部１６を厚み方向（表裏方向）に貫通するように打ち込むことができる。固定具１２の頭部２４は底部１６の表面側に位置することになる。固定具１２は縦方向の複数箇所に打ち込むことができる。壁材１０は溝部１５が縦方向に長くなるように固定される。
【００２１】
次に、壁下地１１に固定した壁材１０の表面側に保持具１４を取り付ける。保持具１４は上記固定具１２により取り付けることができる。すなわち、図５のように、底部１６を貫通する固定具１２の胴部２７を、下のスリット２２に下面開口又は上のスリット２２に上面開口から差し込みながら、底部１６と頭部２４との間にスリット２２の長手方向の縁部を差し込んでいくようにする。これにより、底部１６と頭部２４との間で固定板２０（スリット２２の長手方向の縁部）が挟持されて保持具１４が取り付けられる。保持具１４は溝部１５に設けられる。すなわち、保持具１４は、底部１６の表面側で、溝部１５の両方の側面３０の間の空間に設けられる。
【００２２】
固定具１２の胴部２７は下のスリット２２の上端又は上のスリット２２の下端にまで達するように差し込まれる。このように保持具１４を固定具１２に取り付けるのと併用して、保持具１４をビスなどの他の固定具で壁材１０に固定することもできる。この場合、固定具１２と他の固定具により保持具１４を強固に取り付けることができる。また、保持具１４を固定具１２に取り付けないで、保持具１４をビスなどの他の固定具で壁材１０に固定することもできる。この場合、固定具１２のない箇所でも保持具１４を取り付けることができる。
【００２３】
次に、壁材１０の表面に設けた保持具１４にカバー材１３を取り付ける。この場合、カバー材１３の下端を保持具１４に上方から近づける。そして、まず、第一の接触片１９の上方にある二つの第二の接触片２１の間に、カバー材１３の下端を差し込んでいく。次に、カバー材１３の下端の側壁１８の間に二つの第一の接触片１９を差し込んでいく。次に、第一の接触片１９の下方にある二つの第二の接触片２１の間に、カバー材１３の下端を差し込んでいく。このようにしてカバー材１３を長手方向に送りながら、保持具１４にカバー材１３を取り付けていく。これにより、カバー材１３の側壁１８の内面に第一の接触片１９が接触し、側壁１８の外面が第二の接触片２１に接触することになり、側壁１８が第一の接触片１９と第二の接触片２１に引っ掛って、カバー材１３が保持具１４に保持される。また表面板１７の裏面には第一の接触片１９の先端が接触するものであり、これにより、表面板１７を第一の接触片１９で強固に支えることができる。複数の保持具１４を設けた場合は、一つの溝部１５で縦方向に並ぶ総ての保持具１４にカバー材１３を保持させるようにする。
【００２４】
本実施の形態では、カバー材１３の側壁１８が第一の接触片１９と第二の接触片２１とで内側と外側の両側から挟まれる。従って、カバー材１３を内側又は外側の一方のみから保持する場合に比べて、カバー材１３が強固に保持される。また、本実施の形態では、溝部１５の長手方向の全長にわたってカバー材１３が設けられる。従って、壁材１０を正面から見た場合に、カバー材１３で固定具１２及び保持具１４でカバーされて（覆われて）見えにくくなり、壁の外観が低下しにくくなる。特に、保持具１４の受け片１９はカバー材１３の表面板１７と側壁１８との間に配置されるために、ほとんど見えなくすることができ、受け片１９が視認されることによる壁の外観がより低下しにくくなる。従って、カバー材１３の短手方向の寸法は保持具１４の短手方向の寸法と同じか幅広に形成されることが好ましい。
【００２５】
また、本実施の形態では、カバー材１３の幅寸法Ｌ６は溝部１５の開口の幅寸法Ｌ２よりも小さく形成されており、カバー材１３を溝部１５に配置した状態では、カバー材１３の側端面２９と溝部１５の側面３０との間に隙間３３が形成されている。このようにカバー材１３の幅寸法Ｌ６が溝部１５の開口の幅寸法Ｌ２よりも小さく形成されているため、一種類のカバー材１３がその幅寸法Ｌ６よりも大きな幅寸法Ｌ２の開口を有する溝部１５に適用可能となる。上記のような壁材１０は工場などの非住宅分野に広く使用されており、意匠や施工面で差別化を図るために、数多くの形状が存在し、所定の働き幅の中で、溝部１５の開口及び底部の幅寸法や溝部１５の深さ寸法や溝部１５のピッチ（間隔）を各々設定して製品化している。本実施の形態では、様々な形状の溝部１５に応じたカバー材１３を一種類の保持具１４を用いて各種形状の壁材１０に柔軟に対応して取り付けることができる。このようにシンプルな形状のカバー材１３の寸法調整により様々な形状の溝部１５に対応することができる。
【００２６】
またカバー材１３は、壁材１０の表面よりも奥まった位置（壁材１０の表面からカバー材１３の表面までの距離が１０ｍｍ程度）に配置するのが好ましい。この場合、カバー材１３に風雨が直接当たりにくくなり、防水面や強度面で有利となる。またカバー材１３の側端部が溝部１５の側面３０に当って支えられることがあり、カバー材１３に荷重がかかっても折れにくくなるものである。またカバー材１３が溝部１５に奥まって配置されて目立ちにくくなり、溝部１５を設けたことによる壁材１０の断面凹凸形状のデザインを生かしやすくなる。またカバー材１３は保持具１４に保持して取り付けるので、サッシ回り等でも容易に施工することができる。またカバー材１３により固定具１２と保持具１４を覆い隠すのと同時に、壁材１０の重ね部等の防水性もカバー材１３で向上させることができる。また既存の壁を壁下地１１として壁材１０を取り付けることにより、壁のリフォームも可能である。
【符号の説明】
【００２７】
１０  壁材
１１  壁下地
１２  固定具
１３  カバー材
１４  保持具
１５  溝部
１６  底部
１８  側壁
１９  第一の接触片
２１  第二の接触片
【図１】
2015161075.tif 000003
【図２】
2015161075.tif 000004
【図３】
2015161075.tif 000005
【図４】
2015161075.tif 000006
【図５】
2015161075.tif 000007
【図６】
2015161075.tif 000008